(57)【要約】【課題】電子式表示装置の内部の塵等が画像を遮るという課題がある。【解決手段】電子式表示装置は、画像を出力する表示パネルと、表示パネルの出力側に、表示パネルから離間して配された光学系と、表示パネルと光学系との間に露出して配された粘着部材とを備える。また、撮像装置は、被写体を撮像する撮像手段と、上述の電子式表示装置とを備える。尚、上述の電子式表示装置において、粘着部材の表面の一部は、凹凸状であってもよい。【選択図】図２
2012142896.tif 000002
【特許請求の範囲】
【請求項１】
画像を出力する表示パネルと、
前記表示パネルの出力側に、前記表示パネルから離間して配された光学系と、
前記表示パネルと前記光学系との間に露出して配された粘着部材と
を備える電子式表示装置。
【請求項２】
前記粘着部材の表面の一部は、凹凸状である
請求項１に記載の電子式表示装置。
【請求項３】
前記粘着部材は、少なくとも前記表示パネルと前記光学系との間の上部及び下部に設けられ、
前記粘着部材の上部の表面は、凹凸状であって、
前記粘着部材の下部の表面は、平坦である
請求項１または請求項２に記載の電子式表示装置。
【請求項４】
前記粘着部材は、前記表示パネルと前記光学系との間の少なくも下部に設けられている
請求項１から請求項３のいずれか１項に記載の電子式表示装置。
【請求項５】
前記粘着部材は、前記表示パネルと前記光学系との間の全周にわたって設けられている
請求項１から請求項４のいずれか１項に記載の電子式表示装置。
【請求項６】
前記粘着部材は、少なくとも前記表示パネルと前記光学系との間の上部及び下部に設けられ、
下部に設けられた前記粘着部材の粘着力は、上部に設けられた前記粘着部材の粘着力よりも大きい
請求項１から請求項５のいずれか１項に記載の電子式表示装置。
【請求項７】
前記表示パネルは、画像を出力する出力面を有し、
前記粘着部材は、前記表示パネルの前記出力面の周りを囲むように前記表示パネルに設けられている
請求項１から請求項６のいずれか１項に記載の電子式表示装置。
【請求項８】
前記粘着部材の表面は、黒色である
請求項１から請求項７のいずれか１項に記載の電子式表示装置。
【請求項９】
被写体を撮像する撮像手段と、
請求項１から請求項８のいずれか１項に記載の電子式表示装置と
を備える撮像装置。
【発明の詳細な説明】
【技術分野】
【０００１】
本発明は、電子式表示装置および撮像装置に関する。
【背景技術】
【０００２】
液晶表示装置等を有し、画像の出力側が略密閉状態の電子式表示装置が知られている（例えば、特許文献１参照）。
［先行技術文献］
［特許文献］
［特許文献１］  特開２００５−２０８４９２号公報
【発明の概要】
【発明が解決しようとする課題】
【０００３】
しかしながら、電子式表示装置の内部の塵等が画像を遮るといった課題がある。
【課題を解決するための手段】
【０００４】
本発明の第１の態様は、画像を出力する表示パネルと、前記表示パネルの出力側に、前記表示パネルから離間して配された光学系と、前記表示パネルと前記光学系との間に露出して配された粘着部材とを備える電子式表示装置である。
本発明の第２の態様は、被写体を撮像する撮像手段と、請求項１から請求項８のいずれか１項に記載の電子式表示装置とを備える撮像装置である。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】実施形態による電子式表示装置が搭載された撮像装置の全体構成図である。
【図２】電子式表示装置の縦断面図である。
【図３】図２のＩＩＩ−ＩＩＩ線に沿った縦断面図である。
【図４】電子表示装置の分解斜視図である。
【図５】粘着部材の一部を変更した実施形態による電子式表示装置の縦断面図である。
【図６】図５におけるＶＩ−ＶＩ線に沿った断面図である。
【図７】粘着部材の一部を変更した実施形態による電子式表示装置の縦断面図である。
【図８】粘着部材の一部を変更した実施形態による電子式表示装置の縦断面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、実施形態による電子式表示装置が搭載された撮像装置の全体構成図である。図１に矢印で示す前後を前方及び後方とする。図１に示すように、撮像装置１０は、レンズ部１２と、撮像本体１４とを備える。
【０００９】
レンズ部１２は、固定筒１８と、複数の撮像レンズ２０と、レンズマウント２２と、鏡筒ＣＰＵ２４とを備えている。固定筒１８の一端は、レンズマウント２２を介して、撮像本体１４に連結されている。複数の撮像レンズ２０は、光軸ＯＡを一致させて、固定筒１８に保持されている。最も前方の撮像レンズ２０は、固定筒１８に固定されている。一方、残りの撮像レンズ２０は、光軸ＯＡに沿って移動可能に固定筒１８に支持されている。これにより、撮像レンズ２０は、倍率、焦点距離または焦点位置を変化させる。鏡筒ＣＰＵ２４は、撮像本体１４と通信するとともに、レンズ部１２の動作を制御する。これにより、レンズ部１２は、撮像本体１４に取り付けられると、撮像本体１４と連携して動作する。
【００１０】
撮像本体１４は、筐体３０と、ボディマウント３２と、撮像部３４と、電子式表示装置３６と、本体制御部３８と、主表示部４０とを備えている。
【００１１】
筐体３０は、撮像部３４と、電子式表示装置３６と、本体制御部３８と、主表示部４０とを収容して、保持する。ボディマウント３２は、筐体３０の前面に設けられている。ボディマウント３２は、レンズマウント２２と連結される。これにより、レンズ部１２が、撮像本体１４に脱着可能に取り付けられる。
【００１２】
撮像部３４は、被写体を撮像する撮像手段の一例である。撮像部３４は、ローパスフィルタ４４と、撮像素子４６とを備えている。ローパスフィルタ４４は、複屈折率を有する材料を含む。ローパスフィルタ４４は、撮像レンズ２０の光軸ＯＡの延長線上に配置されている。ローパスフィルタ４４は、偽色を光学的にキャンセルする。
【００１３】
撮像素子４６は、ＣＣＤ（＝Charge Coupled Device：電荷結合素子）センサまたはＣＭＯＳ（＝Complementary Metal Oxide Semiconductor：相補型金属酸化膜半導体）センサを有する。撮像素子４６は、入力された被写体の光学像を光電変換によって電気信号である画像信号に変換して出力する。撮像素子４６は、撮像レンズ２０の光軸ＯＡの延長線上に配置されている。撮像素子４６は、ローパスフィルタ４４の後方に配置されている。撮像素子４６は、複数の画素を有する。複数の画素は、ＡＥ（＝automatic exposure：自動露出）用画素、及び、ＡＦ（＝autofocus：オートフォーカス）用画素としても機能する。撮像素子４６は、コントラスト値が最大となるように撮像レンズ２０を駆動して合焦させるコントラスト方式のＡＦ機能を有する。
【００１４】
電子式表示装置３６は、筐体３０の後部の上部に配置されている。電子式表示装置３６は、撮像素子４６によって撮像されて、電気信号に変換された画像を出力して、ユーザに提供する。
【００１５】
本体制御部３８は、主基板５０と、本体ＣＰＵ５２と、画像処理部５４とを有する。主基板５０は、筐体３０の背面部に配置されている。主基板５０は、本体ＣＰＵ５２及び画像処理部５４を保持する。本体ＣＰＵ５２は、撮像装置１０の制御全般を司る。本体ＣＰＵ５２は、鏡筒ＣＰＵ２４、画像処理部５４、及び、主表示部４０と信号を入出力可能に接続されている。画像処理部５４は、撮像素子４６から出力されたアナログの電気信号を画像データへとデジタル変換して本体ＣＰＵ５２へと出力する。
【００１６】
主表示部４０は、筐体３０の後面に配置されている。主表示部４０の後面は、露出している。主表示部４０には、本体ＣＰＵ５２から画像データが入力される。主表示部４０は、この画像データに基づいて、ライブビューモードにおけるスルー画を表示する。また、主表示部４０は、撮像された画像の再生画像等を含む種々の画像を表示する。
【００１７】
図２は、電子式表示装置の縦断面図である。図３は、図２のＩＩＩ−ＩＩＩ線に沿った縦断面図である。図４は、電子表示装置の分解斜視図である。尚、図４では、側面及び上面の一部を省略している。
【００１８】
電子式表示装置３６は、撮像素子４６によって撮像されている画像をユーザ９０に提供する。尚、ユーザに提供される画像は、撮像されている画像から画素が減らされている。図２、図３、及び、図４に示すように、電子式表示装置３６は、保持部材６０と、表示パネル６２と、レンズユニット６４と、保護ガラス６６と、粘着部材６８と、粘着部材７０とを有する。
【００１９】
保持部材６０は、筐体３０の後部の上部に固定されている。保持部材６０は、表示パネル６２と、レンズユニット６４と、保護ガラス６６と、粘着部材６８、７０とを収容して保持する。保持部材６０は、中空の四角筒形状に形成されている。保持部材６０の前面及び後面は、開口されている。
【００２０】
表示パネル６２は、保持部材６０の前部に固定されている。これにより、表示パネル６２は、保持部材６０の後部の開口を塞ぐ。表示パネル６２は、液晶表示パネル、または、有機ＥＬ表示パネル等の電子式の表示パネルを有する。表示パネル６２は、画像を出力する出力面７２を有する。表示パネル６２の出力面７２は、後方へと画像を出力する。表示パネル６２は、本体制御部３８の本体ＣＰＵ５２と信号を入出力可能に接続されている。これにより、表示パネル６２は、撮像素子４６によって撮像中の画像データであって、本体ＣＰＵ５２から入力された画像データに基づいて画像を出力する。
【００２１】
レンズユニット６４は、表示パネル６２と保護ガラス６６との間に配置されている。レンズユニット６４は、レンズ保持部材７４と、光学系の一例である３枚のレンズ７６とを有する。
【００２２】
レンズ保持部材７４は、中空の四角筒状に形成されている。レンズ保持部材７４の外周面は、保持部材６０の内周面と接するように構成されている。レンズ保持部材７４は、保持部材６０に対して前後方向に移動可能に、保持部材６０によって支持されている。これにより、レンズ保持部材７４は、図示しないダイヤル等の視度調整部をユーザが操作することによって、前後方向へと移動される。
【００２３】
３枚のレンズ７６は、表示パネル６２の出力側に、表示パネル６２から離間して配されている。３枚のレンズ７６は、互いの光軸が一致するように、且つ、互いに間隔を開けて配列されている。３枚のレンズ７６は、レンズ保持部材７４に固定されている。これにより、レンズ７６は、レンズ保持部材７４とともに前後方向に移動する。
【００２４】
保護ガラス６６は、表示パネル６２から出力された画像を透過可能な材料からなる。保護ガラス６６は、保持部材６０の開口と略同じ四角形の板状に形成されている。保護ガラス６６は、保持部材６０の前部に設けられている。これにより、保護ガラス６６は、保持部材６０の前部の開口を塞ぐ。この結果、レンズユニット６４が配置された空間が、保持部材６０と、表示パネル６２と、保護ガラス６６とによって密閉される。
【００２５】
粘着部材６８、７０は、塵、埃等を吸着可能な材料を含む。粘着部材６８、７０の表面は、黒色である。粘着部材６８、７０は、薄膜状に形成されている。粘着部材６８、７０の少なくとも一部は、電子式表示装置３６の内側に向いて露出している。
【００２６】
粘着部材６８は、表示パネル６２の後面に配されている。これにより、粘着部材６８は、表示パネル６２とレンズ７６との間に露出して配されることになる。粘着部材６８は、出力面７２の周りを囲むように全周にわたって設けられている。
【００２７】
粘着部材７０は、表示パネル６２とレンズ７６との間のレンズ保持部材７４の内周面の全周にわたって配されている。粘着部材７０は、レンズ保持部材７４の内周面のうち、レンズ７６が配置されていない領域、即ち、レンズ保持部材７４の露出している内周面に設けられている。粘着部材７０は、表示パネル６２とレンズ７６との間に露出して配されることになる。粘着部材７０の内周面は、出力面７２の外周面よりも外側になるように、粘着部材７０の鉛直方向の厚みが設定されている。これにより、粘着部材７０は、表示パネル６２から出力される画像を遮らない。下部に設けられている粘着部材７０の粘着力は、上部に設けられている粘着部材７０の粘着力よりも大きいほうが好ましい。
【００２８】
次に、上述した撮像装置１０の動作について説明する。まず、被写体像がレンズ部１２の撮像レンズ２０を介して、撮像部３４の撮像素子４６に受光される。撮像素子４６は受光した被写体像を光電変換して、本体制御部３８の画像処理部５４に電気信号として出力する。画像処理部５４は、入力された電気信号を画像データへとデジタル変換して本体ＣＰＵ５２へ出力する。本体ＣＰＵ５２は、入力された画像データに基づいて、鏡筒ＣＰＵ２４に駆動指示を出力する。これにより、鏡筒ＣＰＵ２４は、レンズ部１２の撮像レンズ２０を駆動して、被写体像を合焦させる等の制御を実行する。また、本体ＣＰＵ５２は、入力された画像データを主表示部４０、及び、電子式表示装置３６の表示パネル６２に出力する。これにより、主表示部４０及び表示パネル６２が、撮像素子４６によって撮像されている被写体像を表示する。
【００２９】
ユーザは、主表示部４０に表示された被写体像を見る。もしくは、ユーザは、保護ガラス６６及びレンズ７６を介して、表示パネル６２に表示された被写体像を見る。ここで、電子式表示装置３６は粘着部材６８、７０を有するので、電子式表示装置３６の内部の塵、埃等が粘着部材６８、７０によって吸着されている。これにより、ユーザは、表示パネル６２の被写体像を塵等に遮られることなく見ることができる。更に、粘着部材６８、７０は黒色なので、粘着部材６８、７０は、遮光性を有し、表示パネル６２から出力された画像をほとんど反射しない。このため、迷光がほとんど発生しないので、ユーザは鮮明な画像を視認できる。また、ユーザが視度調整部を操作することによって、レンズユニット６４が前後の何れかに移動して、視度が調整される。このように、レンズユニット６４が移動した場合、レンズユニット６４のレンズ保持部材７４の内周面に設けられた粘着部材６８、７０も一緒に移動するので、粘着部材６８、７０による塵等の吸着効果の低下が抑制される。
【００３０】
この後、ユーザは、主表示部４０または表示パネル６２に表示された被写体像を見つつ、図示しないレリーズボタンを操作する。これにより、本体ＣＰＵ５２は、撮像されている被写体像の画像データを格納する。
【００３１】
上述したように、撮像装置１０の電子式表示装置３６では、粘着部材６８、７０が、表示パネル６２と、レンズユニット６４及び保護ガラス６６との間に設けられている。このため、粘着部材６８、７０が、外部から取り除くことが難しい電子式表示装置３６の内部の塵等を吸着するので、表示パネル６２に塵等が付着することを抑制できる。また、粘着部材６８、７０は、吸着力を有するので、一度吸着した塵等が剥がれることを抑制できる。これにより、粘着部材６８、７０が表示パネル６２から出力される画像が、塵等によって遮られることを抑制できる。この結果、ユーザに提供する画像の画質を向上させることができる。
【００３２】
電子式表示装置３６では、粘着部材７０がレンズユニット６４のレンズ保持部材７４の内周面に設けられているので、粘着部材７０はレンズユニット６４とともに前後に移動する。これにより、レンズユニット６４の移動によって、粘着部材７０の吸着効果が低減することを抑制できる。
【００３３】
電子式表示装置３６では、粘着部材６８、７０が黒色なので、粘着部材６８、７０が遮光性を有する。これにより、粘着部材６８、７０が画像を反射することを抑制でき、迷光を抑制することができるので、ユーザは鮮明な画像を視認することができる。
【００３４】
図５は、粘着部材の一部を変更した実施形態による電子式表示装置の縦断面図である。図６は、図５におけるＶＩ−ＶＩ線に沿った断面図である。図５及び図６に示すように、電子式表示装置１３６では、粘着部材１７０の内側の表面が、全周にわたって、凹凸状に形成されている。これにより、粘着部材１７０の内周面の表面積が大きくなるので、粘着部材１７０は塵等をより効率よく吸着できる。
【００３５】
図７は、粘着部材の一部を変更した実施形態による電子式表示装置の縦断面図である。図７に示すように、電子式表示装置２３６では、粘着部材２７０が、少なくとも表示パネル６２とレンズ７６との間の上部及び下部に設けられている。粘着部材２７０の内側の表面の上部は、凹凸状に形成されている。凹凸の高さ及び幅等は適宜変更してよいが、一例として、凹凸の高低差が１００μｍ、凹凸の幅が１００μｍを挙げることができる。一方、粘着部材２７０の内側の表面の下部は、平坦に形成されている。これにより、粘着部材２７０は、レンズユニット６４の内部で舞い上がった塵等を効率よく吸着することができる。この結果、塵等がレンズユニット６４の内部を落下することを抑制できるので、電子式表示装置２３６は、ユーザに提供する画像の画質を向上させることができる。尚、この実施形態においても、粘着部材２７０を左右の側面に設けてもよい。
【００３６】
図８は、粘着部材の一部を変更した実施形態による電子式表示装置の縦断面図である。図８に示すように、電子式表示装置３３６では、粘着部材３７０が、表示パネル６２とレンズ７６との間のレンズ保持部材７４の下部に形成されている。これにより、粘着部材３７０の材料コストを削減しつつ、粘着部材３７０が下部に堆積した塵等を効率よく吸着するので、塵等が舞い上がることを抑制できる。この結果、電子式表示装置３３６は、ユーザに提供する画像の画質を向上させることができる。
【００３７】
上述の実施形態では、電子式表示装置を撮像装置に搭載した例について説明したが、電子式表示装置をユーザの頭に装備するヘッドマウントディスプレイ等に搭載してもよい。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４０】
１０  撮像装置 
１２  レンズ部 
１４  撮像本体 
１８  固定筒 
２０  撮像レンズ 
２２  レンズマウント 
２４  鏡筒ＣＰＵ 
３０  筐体 
３２  ボディマウント 
３４  撮像部 
３６  電子式表示装置 
３８  本体制御部 
４０  主表示部 
４４  ローパスフィルタ 
４６  撮像素子 
５０  主基板 
５２  本体ＣＰＵ 
５４  画像処理部 
６０  保持部材 
６２  表示パネル 
６４  レンズユニット 
６６  保護ガラス 
６８  粘着部材 
７０  粘着部材 
７２  出力面 
７４  レンズ保持部材 
７６  レンズ 
９０  ユーザ 
１３６  電子式表示装置 
１７０  粘着部材 
２３６  電子式表示装置 
２７０  粘着部材 
３３６  電子式表示装置 
３７０  粘着部材 
【図１】
2012142896.tif 000003
【図２】
2012142896.tif 000004
【図３】
2012142896.tif 000005
【図４】
2012142896.tif 000006
【図５】
2012142896.tif 000007
【図６】
2012142896.tif 000008
【図７】
2012142896.tif 000009
【図８】
2012142896.tif 000010